(57)【特許請求の範囲】
【請求項１】
複数トラックの音響信号の各々について定位方向を解析する定位解析手段と、
前記音響信号の音響特性と前記定位解析手段が解析した定位方向とを調整する調整処理をトラック毎に実行する音響処理手段と、
前記各トラックの優先度を設定する優先度設定手段と、
優先度の高いトラックの音響信号が優先度の低いトラックの音響信号と比較して明瞭化されるように、前記音響処理手段によるトラック毎の調整処理を制御する制御手段と、
前記調整処理後の各トラックの音響信号を合成する信号合成手段と
を具備する音響処理装置。
【請求項２】
前記調整処理は、音響信号の定位方向を調整する定位調整処理を含み、
前記制御手段は、前記優先度の低いトラックの定位方向が、前記優先度の高いトラックの定位方向から離れるように、各トラックの定位調整処理を制御する
請求項１の音響処理装置。
【請求項３】
前記調整処理は、音響信号の各周波数成分の強度を調整する強度調整処理を含み、
前記制御手段は、優先度の低いトラックの音響信号のうち優先度の高いトラックの音響信号と重複する帯域内の各周波数成分が抑制されるように、各トラックの強度調整処理を制御する
請求項１または請求項２の音響処理装置。
【請求項４】
前記調整処理は、前記音響信号を強調する強調処理を含み、
前記制御手段は、優先度の高いトラックが優先度の低いトラックと比較して強調されるように、各トラックの強調処理を制御する
請求項１から請求項３の何れかの音響処理装置。
【請求項５】
前記調整処理は、前記音響信号に残響効果を付加する残響付加処理を含み、
前記制御手段は、優先度の低いトラックに対する残響付加の度合が、優先度の高いトラックに対する残響付加の度合を上回るように、各トラックの残響付加処理を制御する
請求項１から請求項４の何れかの音響処理装置。
【請求項６】
コンピュータが、
複数トラックの音響信号の各々について定位方向を解析し、
前記音響信号の音響特性と前記解析した定位方向とを調整する調整処理をトラック毎に実行し、
前記各トラックの優先度を設定し、
優先度の高いトラックの音響信号が優先度の低いトラックの音響信号と比較して明瞭化されるように、トラック毎の前記調整処理を制御し、
前記調整処理後の各トラックの音響信号を合成する
音響処理方法。
【発明の詳細な説明】
【技術分野】
【０００１】
本発明は、複数トラックの音響信号をミックスダウンする技術に関する。
【背景技術】
【０００２】
ＤＡＷ（Digital Audio Workstation）を利用した音楽制作の場面では、個別に収録された複数トラックの音響信号について音響特性や定位方向等が調整されたうえで左右２チャネルの音響信号が生成（ミックスダウン）される。各トラックの音響特性や定位方向の最適化が一般的には困難であることを考慮して、例えば非特許文献１には、受聴者が各トラックを同等の音量と知覚するように各トラックのイコライザのゲインを自動的に設定する技術が開示されている。
【先行技術文献】
【非特許文献】
【０００３】
【非特許文献１】E.P. Gonzalez and J. Reiss, "Automatic equalization of multi-channel audio using cross-adaptive methods", 127th Audio Engineering Society Convention, October, 2009
【発明の概要】
【発明が解決しようとする課題】
【０００４】
しかし、非特許文献１に記載された各トラックの音量の調整のみでは、実際には、例えば歌唱曲を構成する複数トラックのうち歌唱音のトラックが受聴者に明瞭に知覚されるといった所望の特性を実現することは困難である。したがって、各トラックの音響特性や定位方向等を制作者が手動で調整する必要があり作業負担が大きいという問題がある。以上の事情を考慮して、本発明は、複数トラックの音響信号をミックスダウンする場合の作業負担を軽減することを目的とする。
【課題を解決するための手段】
【０００５】
以上の課題を解決するために本発明が採用する手段を説明する。なお、本発明の理解を容易にするために、以下の説明では、本発明の要素と後述の実施形態の要素との対応を括弧書で付記するが、本発明の範囲を実施形態の例示に限定する趣旨ではない。
【０００６】
本発明の音響処理装置は、複数トラックの音響信号（例えば音響信号Ｘ[1]〜Ｘ[N]）の各々について定位方向（例えば定位方向θx[k,n]）を解析する定位解析手段（例えば定位解析部４２）と、音響信号の音響特性と定位解析手段が解析した定位方向とを調整する調整処理をトラック毎に実行する音響処理手段（例えば音響処理部３２）と、調整処理後の各トラックの音響信号（例えば音響信号Ｙ[1]〜Ｙ[N]）を合成する信号合成手段（例えば信号合成部３４）と、各トラックの優先度（例えば優先度Ｐ[1]〜Ｐ[N]）を設定する優先度設定手段（例えば優先度設定部４６）と、優先度の高いトラックの音響信号が優先度の低いトラックの音響信号と比較して明瞭化されるように、音響処理手段によるトラック毎の調整処理を制御する制御手段（例えば制御部４８）とを具備する。以上の構成では、優先度の高いトラックの音響信号が優先度の低いトラックの音響信号と比較して明瞭化されるように、音響信号の音響特性（例えば強度）と定位方向とを調整する調整処理が制御されるから、複数トラックの音響信号をミックスダウンする場合の作業負担が軽減される。
【０００７】
本発明の好適な態様において、調整処理は、音響信号の定位方向を調整する定位調整処理を含み、制御手段は、優先度の低いトラックの定位方向が、優先度の高いトラックの定位方向から離れるように、各トラックの定位調整処理を制御する。以上の態様では、優先度の低いトラックの定位方向が優先度の高いトラックの定位方向から離れるように各トラックの定位調整処理が制御されるから、優先度の高いトラックの定位感を他のトラックと比較して明瞭化することが可能である。
【０００８】
本発明の好適な態様において、調整処理は、音響信号の強度を調整する強度調整処理を含み、制御手段は、優先度の低いトラックの強度が、優先度の高いトラックの強度に対して抑制されるように、各トラックの強度調整処理を制御する。以上の態様では、優先度の低いトラックの強度が優先度の高いトラックの強度に対して抑制されるから、優先度の高いトラックを明瞭化することが可能である。また、優先度の低いトラックの音響信号のうち優先度の高いトラックの音響信号と重複する帯域内の各周波数成分が抑制されるように、制御手段が各トラックの強度調整処理を制御する構成によれば、優先度の高いトラックを明瞭化するという効果は格別に顕著である。
【０００９】
本発明の好適な態様において、調整処理は、音響信号に対する効果付与処理を含み、制御手段は、効果付与処理による効果付与の度合をトラック毎に制御する。例えば、音響信号を強調する強調処理を効果付与処理が含む構成では、優先度の高いトラックが優先度の低いトラックと比較して強調されるように、制御手段が各トラックの強調処理を制御する。以上の態様によれば、優先度の高いトラックを明瞭化することが可能である。また、音響信号に残響効果を付加する残響付加処理を効果付与処理が含む構成では、優先度の低いトラックに対する残響付加の度合が、優先度の高いトラックに対する残響付加の度合を上回るように、制御手段が各トラックの残響付加処理を制御する。以上の態様によれば、優先度の高いトラックの定位感を明瞭化することが可能である。
【００１０】
本発明の好適な態様に係る音響処理装置は、音響信号の各周波数成分の定位方向を示す定位軸と各周波数成分の周波数を示す周波数軸とが設定された定位-周波数平面における音響信号の各周波数成分の分布を示す音像分布画像を表示装置に表示させる手段であって、音響処理手段による調整処理前の各トラックの音響信号の第１音像分布画像（例えば第１音像分布画像Ｇx）と、音響処理手段による調整処理後の各トラックの音響信号の第２音像分布画像（例えば第２音像分布画像Ｇy）とを対比可能に表示させる表示制御手段を具備する。以上の態様では、調整処理前の各トラックの第１音像分布画像と調整処理後の各トラックの第２音像分布画像とを相互に対比することで、調整処理の効果を利用者が視覚的および直観的に評価できるという利点がある。
【００１１】
以上の各態様に係る音響処理装置は、音響信号の処理に専用されるＤＳＰ（Digital Signal Processor）などのハードウェア（電子回路）によって実現されるほか、ＣＰＵ（Central Processing Unit）等の汎用の演算処理装置とプログラムとの協働によっても実現される。本発明のプログラムは、複数トラックの音響信号の各々について定位方向を解析する定位解析処理と、音響信号の音響特性と定位解析処理で解析した定位方向とを調整するトラック毎の調整処理と、調整処理後の各トラックの音響信号を合成する信号合成処理と、各トラックの優先度を設定する優先度設定処理と、優先度の高いトラックの音響信号が優先度の低いトラックの音響信号と比較して明瞭化されるように、トラック毎の調整処理を制御する制御処理とをコンピュータに実行させる。以上のプログラムによれば、本発明の音響処理装置と同様の作用および効果が奏される。本発明のプログラムは、コンピュータが読取可能な記録媒体に格納された形態で提供されてコンピュータにインストールされるほか、通信網を介した配信の形態で提供されてコンピュータにインストールされる。
【図面の簡単な説明】
【００１２】
【図１】本発明のひとつの実施形態に係る音響処理装置のブロック図である。
【図２】解析結果画像の模式図である。
【図３】調整処理と優先度との関係の説明図である。
【発明を実施するための形態】
【００１３】
＜実施形態＞
図１は、本発明のひとつの実施形態に係る音響処理装置１００のブロック図である。図１に示すように、音響処理装置１００には信号供給装置２００が接続される。信号供給装置２００は、個別に収録されたＮトラック（Ｎは２以上の自然数）の音響信号Ｘ[1]〜Ｘ[N]を音響処理装置１００に供給する。１トラックは、処理単位となる系統（例えば複数系統の音響の組合せや単数系統の音響）を意味する。第１実施形態の各音響信号Ｘ[n]（ｎ＝１〜Ｎ）は、再生音の受聴者に対して特定の方向に音像が定位するように収録または加工（例えば左右チャネル間の強度差や位相差を変更する処理）された左チャネルの音響信号ＸL[n]と右チャネルの音響信号ＸR[n]とで構成されるステレオ信号である。ただし、複数のモノラルのチャネルから利用者が任意に選択した２個のチャネルの組合せを１個のトラック（ステレオトラック）として取扱うことも可能である。例えば可搬型または内蔵型の記録媒体から各音響信号Ｘ[n]を取得して音響処理装置１００に供給する再生装置や、収音機器が生成した各音響信号Ｘ[n]を実時間的に取得して音響処理装置１００に供給する入力装置が信号供給装置２００として好適に採用され得る。
【００１４】
音響処理装置１００は、Ｎトラックの音響信号Ｘ[1]〜Ｘ[N]の自動的なミックスダウンで音響信号Ｚを生成する信号処理装置である。音響信号Ｚは、左チャネルの音響信号ＺLと右チャネルの音響信号ＺRとで構成されるステレオ信号である。図１に示すように、音響処理装置１００は、演算処理装置１２と記憶装置１４と表示装置２２と入力装置２４と放音装置２６とを含んで構成される。表示装置２２（例えば液晶表示パネル）は、演算処理装置１２からの指示に応じて各種の画像を表示する。入力装置２４は、音響処理装置１００に対する利用者からの指示を受付ける機器であり、例えば利用者が操作する複数の操作子を含んで構成される。放音装置２６（例えばステレオスピーカ）は、音響信号Ｚに応じた音波を再生する。
【００１５】
記憶装置１４は、演算処理装置１２が実行するプログラムや演算処理装置１２が使用する各種の情報を記憶する。半導体記録媒体や磁気記録媒体等の公知の記録媒体または複数種の記録媒体の組合せが記憶装置１４として任意に採用される。なお、各音響信号Ｘ[n]を記憶装置１４に格納した構成（したがって信号供給装置２００は省略される）も採用され得る。
【００１６】
演算処理装置１２は、記憶装置１４に格納されたプログラムを実行することで、Ｎトラックの音響信号Ｘ[1]〜Ｘ[N]から音響信号Ｚを生成するための複数の機能（音響処理部３２，信号合成部３４，定位解析部４２，表示制御部４４，優先度設定部４６，制御部４８）を実現する。なお、演算処理装置１２の各機能を複数の装置に分散した構成や、演算処理装置１２の一部の機能を専用の電子回路（ＤＳＰ）が実現する構成も採用され得る。
【００１７】
音響処理部３２は、音響信号Ｘ[1]〜Ｘ[N]に対する所定の信号処理（以下「調整処理」という）でＮトラックの音響信号Ｙ[1]〜Ｙ[N]を生成する要素であり、相異なるトラックに対応するＮ個の単位処理部Ｕ[1]〜Ｕ[N]を含んで構成される。第ｎ番目のトラックに対応する単位処理部Ｕ[n]は、音響信号Ｘ[n]に対する調整処理で音響信号Ｙ[n]を生成する。各音響信号Ｙ[n]は、左チャネルの音響信号ＹL[n]と右チャネルの音響信号ＹR[n]とで構成されるステレオ信号である。
【００１８】
各単位処理部Ｕ[n]が実行する調整処理は、定位調整処理と強度調整処理と効果付与処理とを包含する。定位調整処理は、音響信号Ｘ[n]の音像が定位する方向（以下「定位方向」という）を調整する処理（例えば音響信号ＸL[n]および音響信号ＸR[n]の強度差や位相差を制御する処理）である。強度調整処理は、音響信号Ｘ[n]の強度（振幅）を調整する処理である。本実施形態では、音響信号Ｘ[n]の各周波数成分の強度（振幅）を個別に調整するイコライジング処理を強度調整処理として例示する。効果付与処理は、音響信号Ｘ[n]に各種の音響効果を付与する処理である。本実施形態では、音響信号Ｘ[n]に対する残響効果の付加（残響付加処理）と音響信号Ｘ[n]の強調処理（例えばコンプレッサ等のダイナミクス系エフェクト）とを効果付与処理として例示する。強度調整処理および効果付与処理は、音響信号Ｘ[n]の音響特性を制御する処理とも換言され得る。
【００１９】
信号合成部３４は、音響処理部３２（各単位処理部Ｕ[n]）による調整処理で生成されたＮトラックの音響信号Ｙ[1]〜Ｙ[N]を合成することで音響信号Ｚを生成する。本実施形態の信号合成部３４は、音響信号Ｙ[1]〜Ｙ[N]を加算する加算器である。具体的には、各トラックの左チャネルの音響信号ＹL[1]〜ＹL[N]の加算で左チャネルの音響信号ＺLが生成され、各トラックの右チャネルの音響信号ＹR[1]〜ＹR[N]の加算で右チャネルの音響信号ＺRが生成される。信号合成部３４が生成した音響信号Ｚが放音装置２６から再生される。
【００２０】
定位解析部４２は、Ｎトラックの各々について周波数毎の定位方向θ[k,n]（θx[k,n]，θy[k,n]）を算定する。記号ｋは、周波数軸上の任意の１個の周波数を意味する。本実施形態の定位解析部４２は、音響処理部３２による調整処理の実行前の各音響信号Ｘ[n]の定位方向θx[k,n]と、調整処理の実行後の各音響信号Ｙ[n]の定位方向θy[k,n]とを算定する。
【００２１】
定位方向θ[k,n]の算定には公知の技術が任意に利用され得る。例えば、音響信号Ｘ[n]のうち左チャネルの音響信号ＸL[n]の各周波数の強度ＭL[k]と右チャネルの音響信号ＸR[n]の各周波数の強度ＭR[k]とを利用した以下の数式(1)の演算で音響信号Ｘ[n]の定位方向θx[k,n]が算定される。音響信号Ｙ[n]の定位方向θy[k,n]についても同様に、左チャネルの音響信号ＹL[n]の強度ＭL[k]と右チャネルの音響信号ＹR[n]の強度ＭR[k]とを数式(1)に適用することで算定される。なお、数式(1)については、例えば、M. Vinyes, J. Bonada, A. Loscos, "Demixing Commercial Music Productions via Human-Assisted Time-Frequency Masking"，Audio Engineering Society 120th Convention, France, 2006にも詳述されている。
【数１】
0005915249.tif 000002
【００２２】
表示制御部４４は、定位解析部４２による解析結果を表現する図２の解析結果画像Ｇを表示装置２２に表示させる。解析結果画像Ｇは、利用者が両者を対比できるように並置された第１音像分布画像Ｇxと第２音像分布画像Ｇyとを含んで構成される。
【００２３】
第１音像分布画像Ｇxおよび第２音像分布画像Ｇyの各々は、図２に示すように、定位方向を示す定位軸ＡPと周波数を示す周波数軸ＡFとが設定された定位-周波数平面内での各周波数成分の分布を表現する画像である。第１音像分布画像Ｇxの定位-周波数平面内には、音響信号Ｘ[n]の各周波数成分を表象する複数の音像図形ＱがＮトラックの音響信号Ｘ[1]〜Ｘ[N]について並列に配置される。音響信号Ｘ[n]の各周波数成分に対応する音像図形Ｑは、周波数軸ＡFのうちその周波数成分の周波数と、定位軸ＡPのうちその周波数成分について定位解析部４２が算定した定位方向θx[k,n]とに対応する座標に位置する。したがって、１個のトラックの音響信号Ｘ[n]に対応する複数の音像図形Ｑは、概略的には、図２に示すように、周波数軸ＡFに沿って長尺状に分布する。第１音像分布画像Ｇxと同様に、第２音像分布画像Ｇyの定位-周波数平面内には、調整処理の実行後の音響信号Ｙ[n]の各周波数成分を表象する複数の音像図形ＱがＮトラックの音響信号Ｙ[1]〜Ｙ[N]について並列に配置される。１個のトラックの音響信号Ｙ[n]に対応する複数の音像図形Ｑは、概略的には、周波数軸ＡFに沿って長尺状に分布する。Ｎトラックの各々の周波数と定位方向との関係（すなわち調整処理の効果）を調整処理の実行前（第１音像分布画像Ｇx）と実行後（第２音像分布画像Ｇy）とで対比しながら評価することが可能である。
【００２４】
図１の優先度設定部４６は、Ｎトラックの各々について優先度Ｐ[n]（Ｐ[1]〜Ｐ[N]）を可変に設定する。本実施形態の優先度設定部４６は、入力装置２４に対する利用者からの指示に応じて各トラックの優先度Ｐ[n]を設定する。例えば、利用者は、入力装置２４を適宜に操作することで、第１音像分布画像Ｇxのうち所望のトラックの音像図形Ｑを選択してそのトラックの優先度Ｐ[n]を指示することが可能である。
【００２５】
制御部４８は、定位解析部４２がトラック毎に算定した定位方向θx[k,n]と優先度設定部４６がトラック毎に設定した優先度Ｐ[n]とに応じて音響処理部３２による調整処理（定位調整処理，強度調整処理，効果付与処理）を制御する。定位解析部４２による定位方向θx[k,n]の算定と優先度設定部４６による各優先度Ｐ[n]の設定との完了後に、入力装置２４に対する所定の操作（例えば自動調整の開始を指示する操作子の押下）を契機として制御部４８による調整処理の制御が開始される。
【００２６】
例えば、第ｎ1番目（ｎ1＝１〜Ｎ）のトラックの音響信号Ｘ[n1]と第ｎ2番目（ｎ2＝１〜Ｎ，ｎ2≠ｎ1）のトラックの音響信号Ｘ[n2]とに着目し、音響信号Ｘ[n1]の優先度Ｐ[n1]が音響信号Ｘ[n2]の優先度Ｐ[n2]を上回る場合（Ｐ[n1]＞Ｐ[n2]）を想定すると、制御部４８は、優先度Ｐ[n1]の高い音響信号Ｘ[n1]が優先度Ｐ[n2]の低い音響信号Ｘ[n2]と比較して明瞭化される（聴感的な明瞭度が増加する）ように、音響処理部３２による各トラックの調整処理を制御する。以下の説明では、第１音像分布画像Ｇxを例示する図３を参照しながら、調整処理の各処理（定位調整処理，強度調整処理，効果付与処理）に対する具体的な制御の内容を詳述する。
【００２７】
＜定位調整処理＞
制御部４８は、Ｎトラックのうち優先度Ｐ[n]が低いトラックほど、定位解析部４２が音響信号Ｘ[n]について算定した初期的な定位方向θx[k,n]からの変化量が大きくなるように、Ｎトラックの各々に対する定位調整処理を制御する。具体的には、優先度Ｐ[n2]のトラックの定位方向θx[k,n2]が、優先度Ｐ[n1]（Ｐ[n1]＞Ｐ[n2]）のトラックの定位方向θx[k,n1]から離間するように、各トラックの定位調整処理が制御される。
【００２８】
例えば図３に示すように、音響信号Ｘ[2]の定位方向θx[k,2]と音響信号Ｘ[3]の定位方向θx[k,3]とが音響信号Ｘ[1]の定位方向θx[k,1]の左側に位置し、音響信号Ｘ[4]の定位方向θx[k,4]と音響信号Ｘ[5]の定位方向θx[k,5]とが音響信号Ｘ[1]の定位方向θx[k,1]の右側に位置する場合（Ｎ＝５）を想定する。音響信号Ｘ[1]の優先度Ｐ[1]が最大である場合、図３に矢印で示すように、音響信号Ｘ[2]の定位方向θx[k,2]と音響信号Ｘ[3]の定位方向θx[k,3]とは左側に移動し、音響信号Ｘ[4]の定位方向θx[k,4]と音響信号Ｘ[5]の定位方向θx[k,5]とは右側に移動する。
【００２９】
音響信号Ｘ[3]の優先度Ｐ[3]が音響信号Ｘ[2]の優先度Ｐ[2]よりも低い場合（Ｐ[3]＜Ｐ[2]）、音響信号Ｘ[3]の定位方向θx[k,3]の変化量Δθ[3]（処理前の定位方向θx[k,3]と処理後の定位方向θy[k,3]との差分）は、音響信号Ｘ[2]の定位方向θx[k,2]の変化量Δθ[2]を上回る。同様に、音響信号Ｘ[5]の優先度Ｐ[5]が音響信号Ｘ[4]の優先度Ｐ[4]よりも低い場合（Ｐ[5]＜Ｐ[4]）、音響信号Ｘ[5]の定位方向θx[k,5]の変化量Δθ[5]は、音響信号Ｘ[4]の定位方向θx[k,4]の変化量Δθ[4]を上回る。したがって、音響信号Ｚの再生音の受聴者は、優先度Ｐ[n]が高い音響信号Ｘ[n]の音像を明瞭に知覚することが可能である。
【００３０】
＜強度調整処理＞
制御部４８は、Ｎトラックのうち優先度Ｐ[n]が低いトラックの音響信号Ｘ[n]ほど強度（全帯域にわたる強度）が低下するように、Ｎトラックの各々に対する強度調整処理を制御する。具体的には、優先度Ｐ[n2]のトラックの音響信号Ｘ[n2]の強度が、優先度Ｐ[n1]（Ｐ[n1]＞Ｐ[n2]）のトラックの音響信号Ｘ[n1]の強度に対して抑制される。また、制御部４８は、音響信号Ｘ[n2]のうち音響信号Ｘ[n1]の主要な分布帯域（例えば強度が所定値を上回る帯域）と重複する帯域内の各周波数成分の強度が低下するように、各トラックの強度調整処理を制御する。
【００３１】
例えば、図３に例示された状況（Ｐ[1]＞Ｐ[2]＞Ｐ[3]，Ｐ[1]＞Ｐ[4]＞Ｐ[5]）では、音響信号Ｘ[2]の全帯域にわたる強度が音響信号Ｘ[1]と比較して抑制され、かつ、音響信号Ｘ[2]のうち音響信号Ｘ[1]と周波数軸上で重複する帯域Ｂ[2]内の各周波数成分の強度が他の帯域と比較して抑制される。また、音響信号Ｘ[3]の全帯域にわたる強度が音響信号Ｘ[2]と比較して抑制され、かつ、音響信号Ｘ[3]のうち音響信号Ｘ[2]と重複する帯域Ｂ[3]内の各周波数成分の強度が他の帯域と比較して抑制される。音響信号Ｘ[4]および音響信号Ｘ[5]についても同様である。したがって、音響信号Ｚの再生音の受聴者は、優先度Ｐ[n]が高い音響信号Ｘ[n]の音響を高強度で明瞭に聴取することが可能である。
【００３２】
＜効果付与処理＞
制御部４８は、Ｎトラックのうち優先度Ｐ[n]が高いトラックほど音響信号Ｘ[n]が明瞭化されるように、Ｎトラックの各々に対する効果付与処理（残響付加処理，強調処理）を制御する。すなわち、優先度Ｐ[n1]の音響信号Ｘ[n1]と優先度Ｐ[n2]（Ｐ[n1]＞Ｐ[n2]）の音響信号Ｘ[n2]とに着目すると、音響信号Ｘ[n1]が音響信号Ｘ[n2]と比較して明瞭化されるように各トラックの効果付与処理が制御される。
【００３３】
例えば、図３に例示された状況（Ｐ[1]＞Ｐ[2]＞Ｐ[3]，Ｐ[1]＞Ｐ[4]＞Ｐ[5]）では、音響信号Ｘ[1]が音響信号Ｘ[2]と比較して強調されるとともに音響信号Ｘ[2]が音響信号Ｘ[3]と比較して強調されるように、効果付与処理のうち強調処理（ダイナミクス系エフェクト）の度合を制御部４８は制御する。同様に、音響信号Ｘ[1]は音響信号Ｘ[4]と比較して強調され、音響信号Ｘ[4]は音響信号Ｘ[5]と比較して強調される。
【００３４】
また、音響信号Ｘ[2]に付加される残響効果の度合（残響時間）が音響信号Ｘ[1]に付加される残響効果の度合を上回り、音響信号Ｘ[3]に付加される残響効果の度合が音響信号Ｘ[2]に付加される残響効果の度合を上回るように、効果付与処理のうち残響付加処理による残響付加の度合を制御部４８は制御する。同様に、音響信号Ｘ[4]に付加される残響効果の度合は音響信号Ｘ[1]に付加される残響効果の度合を上回り、音響信号Ｘ[5]に付加される残響効果の度合は音響信号Ｘ[4]に付加される残響効果の度合を上回る。したがって、優先度Ｐ[n]が低い音響信号Ｘ[n]ほど深い残響効果が付加されて定位感が低減（曖昧化）され、優先度Ｐ[n]が高い音響信号Ｘ[n]の定位感は相対的に明瞭化される。
【００３５】
利用者は、以上に例示した方法で制御された調整処理の実行後に、入力装置２４を適宜に操作する（例えば第１音像分布画像Ｇxのうち所望のトラックの音像図形Ｑを定位軸ＡPの方向にドラッグする）ことで各トラックの定位方向θx[n]を変更することが可能である。特定のトラックの定位方向θx[n]が変更されるたびに、制御部４８は、以上に例示した調整処理の制御を実行する。
【００３６】
以上に例示した実施形態では、優先度Ｐ[n]が高いトラックの音響信号Ｘ[n]が優先度Ｐ[n]の低いトラックの音響信号Ｘ[n]と比較して明瞭化されるように、音響信号Ｘ[n]に対する調整処理がトラック毎に制御される。具体的には、定位解析部４２が解析した定位方向θx[k,n]を調整する定位調整処理と、音響信号Ｘ[n]の音響特性（強度等）を調整する強度調整処理および効果付与処理とがトラック毎に制御される。以上の構成によれば、各トラックの音量のみが調整される非特許文献１の技術と比較して、Ｎトラックの音響信号Ｘ[1]〜Ｘ[N]がミックスダウンに好適な関係に調整されるから、Ｎトラックの音響信号Ｘ[1]〜Ｘ[N]をミックスダウンする場合の作業負担を軽減することが可能である。
【００３７】
＜変形例＞
以上に例示した形態には様々な変形が加えられる。具体的な変形の態様を以下に例示する。以下の例示から任意に選択された２以上の態様は併合され得る。
【００３８】
（１）音響処理部３２による調整処理の内容は以上の例示に限定されない。例えば、ディストーションやオーバードライブ等のダイナミクス系エフェクトを調整処理（効果付与処理）として実行することも可能である。また、以上の例示では時間領域での調整処理を例示したが、周波数領域での調整処理も実行され得る。
【００３９】
（２）前述の形態では、第１音像分布画像Ｇxと第２音像分布画像Ｇyとを並置したが、第１音像分布画像Ｇxと第２音像分布画像Ｇyとを対比可能に表示する方法は以上の例示に限定されない。例えば、第１音像分布画像Ｇxおよび第２音像分布画像Ｇyの一方を透過画像として他方の前面に重複して配置する構成や、第１音像分布画像Ｇxおよび第２音像分布画像Ｇyの各々を時分割で表示する（例えば入力装置２４の操作毎に一方から他方に切替わる）構成も採用され得る。
【００４０】
（３）前述の形態では、Ｎトラックの全部の音響信号Ｘ[1]〜Ｘ[N]について残響効果を付加したが、優先度Ｐ[n]が低い音響信号Ｘ[n]（例えば優先度Ｐ[n]の降順で下位に位置する所定個の音響信号Ｘ[n]や優先度Ｐ[n]が閾値を下回る音響信号Ｘ[n]）のみを対象として残響効果を付加し、優先度Ｐ[n]が高い残余の音響信号Ｘ[n]には残響効果を付加しない構成も採用され得る。
【００４１】
（４）前述の形態では、Ｎトラックの各々について優先度Ｐ[n]を設定したが、Ｎトラックのうち優先対象となるＮ個未満のトラックのみを指定する構成（所定個のトラックに対して残余のトラックよりも高い優先度Ｐ[n]を設定する構成）も採用され得る。
【００４２】
（５）各トラックの定位方向θx[k,n]を利用者からの指示に応じて変更可能な構成も採用され得る。なお、例えば優先度Ｐ[n2]の音響信号Ｘ[n2]の定位方向θx[k,n2]が優先度Ｐ[n1]（Ｐ[n1]＞Ｐ[n2]）の音響信号Ｘ[n1]の定位方向θx[k,n1]に接近すると、音響信号Ｘ[n1]の定位感が減殺される。そこで、音響信号Ｘ[n2]の定位方向θx[k,n2]の変更範囲を、音響信号Ｘ[n1]の定位方向θx[k,n1]を含む所定の範囲（以下「禁止範囲」という）の外側に制限する構成（定位方向θx[k,n2]を定位方向θx[k,n1]に過度に接近させない構成）が好適である。例えば、利用者から指示された変更後の定位方向θx[k,n2]が禁止範囲内に位置する場合に変更前の位置に戻す構成や、禁止範囲を回避するように定位方向θx[k,n2]を変化させる構成が好適である。
【００４３】
（６）各トラックの定位方向θx[k,n]を調整する定位調整処理の内容は以上の例示に限定されない。例えば、相異なる２トラックの各定位方向θx[k,n]の間隔が所定値を上回るように各トラックの定位方向θx[k,n]を利用者が変更した場合に、特定のトラックの定位方向θx[k,n]をその間隔内に変更する構成が採用される。例えば、優先度Ｐ[n]が低い各トラックの定位方向θx[k,n]の間隔が拡張された場合に、優先度Ｐ[n]が高いトラックの定位方向θx[k,n]が自動的にその間隔内に変更される。以上の構成によれば、優先度Ｐ[n]が高いトラックの定位感を確実に明瞭化できるという利点がある。
【符号の説明】
【００４４】
１００……音響処理装置、２００……信号供給装置、１２……演算処理装置、１４……記憶装置、２２……表示装置、２４……入力装置、２６……放音装置、３２……音響処理部、３４……信号合成部、４２……定位解析部、４４……表示制御部、４６……優先度設定部、４８……制御部、Ｇ……解析結果画像、Ｇx……第１音像分布画像、Ｇy……第２音像分布画像。
【図１】
0005915249.tif 000003
【図２】
0005915249.tif 000004
【図３】
0005915249.tif 000005